(57)【要約】【課題】容易にタイムインターリーブによる使い勝手の低下を防止できる受信装置を提供する。【解決手段】利用者が入力操作にて番組設定すると、入力手段からの入力操作に対応する信号に基づいてシステムコントローラ１２が番組を設定する。この設定した番組がいずれのアンサンブルＡ，Ｂに属するかを判断する。ＲＦチューナ部１３で、判断したアンサンブルＡ，Ｂに対応して地上局からの地上波および２つの人工衛星からの衛星波を適宜処理し、チャンネルデコーダ１４で復調し、アンサンブルＡ，Ｂと他のアンサンブルＢ，Ａを取得し、デインターリーブ処理する。デインターリーブによる遅延処理は異なるアンサンブルＡ，Ｂ同時のため、他のアンサンブルＡ，Ｂの番組を出力する場合でも短時間でできる。【選択図】　図３
2004023137.tif 000002
【特許請求の範囲】
【請求項１】
複数の異なる情報を複数の集合に区分した複数の集合情報を、区分けする集合毎に異なる周波数帯の電波として地上局および複数の人工衛星からそれぞれ受信し、この受信した電波を復調して所定の前記集合情報を取得し、この取得した集合情報に含まれる前記情報を取得する受信装置であって、
前記地上局から受信する電波のうちのいずれか１つの周波数帯を復調して前記集合情報のうちのいずれか１つを取得する地上波取得手段と、
少なくともいずれか１つの前記人工衛星から受信する電波であって、前記地上波取得手段にて取得する集合情報と同一の集合情報に対応する周波数帯を復調して前記同一の集合情報を取得する衛星主波取得手段と、
少なくともいずれか１つの前記人工衛星から受信する電波であって、前記衛星主波取得手段で取得する集合情報以外の他の集合情報に対応する周波数帯を復調して前記他の集合情報を取得する衛星副波取得手段と、
を具備したことを特徴とした受信装置。
【請求項２】
請求項１に記載の受信装置において、
移動可能な移動体に設置可能で、
衛星主波取得手段は、複数の人工衛星のうちの少なくとも２つ以上の人工衛星から受信する電波に基づいて、地上波取得手段で取得する集合情報と同一の集合情報を取得する
ことを特徴とした受信装置。
【請求項３】
請求項１に記載の受信装置において、
少なくとも電波を受信して復調する期間では移動不可能に構成され、
衛星主波取得手段は、複数の人工衛星のうちのいずれか１つの人工衛星から受信する電波に基づいて、地上波取得手段で取得する集合情報と同一の集合情報を取得する
ことを特徴とした受信装置。
【請求項４】
請求項１ないし３のいずれかに記載の受信装置において、
地上局から受信する電波における取得対象の集合情報の周波数帯以外の信号を減衰する地上波フィルタと、少なくともいずれかの人工衛星から受信する電波における前記取得対象の集合情報の周波数帯以外の信号を減衰する衛星主波フィルタと、前記複数の人工衛星から受信する電波における前記取得対象の集合情報以外の他の集合情報の周波数帯以外の信号を減衰する衛星副波フィルタと、を備えたチューナ部を具備し、
地上波取得手段は、前記チューナ部の地上波フィルタで処理された信号を復調して集合情報を取得し、
衛星主波取得手段は、前記チューナ部の衛星主波フィルタで処理された信号を復調して前記集合情報を取得し、
衛星副波取得手段は、前記チューナ部の衛星副波フィルタで処理された信号を復調して前記集合情報以外の他の集合情報を取得する
ことを特徴とした受信装置。
【請求項５】
請求項１ないし３のいずれかに記載の受信装置において、
集合情報を設定する設定手段と、
この設定手段にて設定された集合情報に対応して、地上局および複数の人工衛星から受信する電波における復調する周波数帯を切り替える切替手段と、を具備した
ことを特徴とした受信装置。
【請求項６】
請求項１ないし５のいずれかに記載の受信装置において、
人工衛星は２つで、かつ集合情報は２つである
ことを特徴とした受信装置。
【請求項７】
第１情報を互いに異なる周波数帯域にて放送する第１放送、第２放送および第３放送と、前記第１情報とは異なる内容の第２情報を互いに異なる周波数帯域にて放送する第４放送、第５放送および第６放送とを受信する受信手段と、
前記第１放送と第４放送とを復調する第１復調手段と、
前記第２放送と第５放送とを復調する第２復調手段と、
前記第３放送と第６放送とを復調する第３復調手段と、を備え、
前記第１復調手段、前記第２復調手段および前記第３復調手段が同時に復調を実施するとともに、前記第２復調手段が前記第２放送を復調するときに前記第３復調手段は前記第６放送を復調し、前記第２復調手段が前記第５放送を復調するときに前記第３復調手段は前記第３放送を復調する
ことを特徴とした受信装置。
【請求項８】
請求項７に記載の受信装置において、
前記第１情報および前記第２情報のそれぞれは複数の番組を有した番組群を含んで放送され、
前記第１情報と前記第２情報とにそれぞれ含まれる番組群からいずれか１つの番組を選択する選択手段と、
前記第２復調手段または前記第３復調手段の出力の取得、または、前記第１復調手段の出力の取得を、受信状況に応じて選択して切り替える切替手段と、
前記選択手段で選択された前記１つの番組を抽出して出力する抽出手段と、を具備した
ことを特徴とした受信装置。
【請求項９】
請求項８に記載の受信装置において、
前記抽出手段が前記第１情報に含まれる１つの番組を抽出している際に、前記第２情報に含まれる他の１つの番組を前記抽出手段で抽出するように前記選択手段が選択した場合、前記第２復調手段または前記第３復調手段であって前記第２情報を復調していた方の出力を前記抽出手段が取得するとともに、前記第１復調手段が前記第４放送を復調し、かつ、前記第２復調手段または第３復調手段であって前記第１情報を復調していた方の復調を維持する
ことを特徴とした受信装置。
【請求項１０】
第１情報を互いに異なる周波数帯域にて放送する第１放送、第２放送および第３放送と、前記第１情報とは異なる内容の第２情報を互いに異なる周波数帯域にて放送する第４放送、第５放送および第６放送とを受信する受信手段と、
前記第１放送と前記第４放送とを復調する第１復調手段と、
前記第２放送と前記第３放送とを復調する第２復調手段と、
前記第５放送と前記第６放送とを復調する第３復調手段と、を備え、
前記第１復調手段、前記第２復調手段および前記第３復調手段が同時に復調を実施する
ことを特徴とした受信装置。
【請求項１１】
請求項１０に記載の受信装置において、
前記第１情報および前記第２情報のそれぞれは複数の番組を有した番組群を含んで放送され、
前記第１情報と前記第２情報とにそれぞれ含まれる番組群からいずれか１つの番組を選択する選択手段と、
前記第２復調手段と前記第３復調手段とがそれぞれ復調する放送、および、前記第２復調手段または前記第３復調手段の出力を取得するか、または、前記第１復調手段の出力を取得するかを、受信状況に応じて選択して切り替える切替手段と、
前記選択手段で選択された前記１つの番組を抽出して出力する抽出手段と、を具備した
ことを特徴とした受信装置。
【請求項１２】
請求項１１に記載の受信装置において、
前記抽出手段が前記第１情報に含まれる１つの番組を抽出している際に、前記第２情報に含まれる他の１つの番組を前記抽出手段で抽出するように前記選択手段が選択した場合には、前記第３復調手段の出力を前記抽出手段が取得するとともに、前記第１復調手段が前記第４放送を復調し、かつ、前記第２復調手段による前記第２放送および前記第３放送の復調を維持する
ことを特徴とした受信装置。
【請求項１３】
複数の異なる情報を複数の集合に区分けした複数の集合情報を、区分けする集合毎に異なる周波数帯の電波として地上局および複数の人工衛星からそれぞれ受信し、この受信した電波を復調して所定の前記集合情報を取得し、この取得した集合情報に含まれる前記情報を取得する受信方法であって、前記地上局から受信する電波のうちのいずれか１つの周波数帯を復調して前記集合情報のうちのいずれか１つを取得し、
少なくともいずれか１つの前記人工衛星から受信する電波であって、前記地上局から受信する電波に基づいて取得する集合情報と同一の集合情報に対応する周波数帯を復調し、前記同一の集合情報を取得し、
少なくともいずれか１つの前記人工衛星から受信する電波であって、前記地上局から受信する電波に基づいて取得する集合情報以外の他の集合情報に対応する周波数帯を復調して前記他の集合情報を取得する
ことを特徴とする受信方法。
【請求項１４】
請求項１３に記載の受信方法において、
移動可能な移動体における受信方法であって、
複数の人工衛星のうちの少なくとも２つ以上の人工衛星から受信する電波に基づいて、地上局から受信する電波に基づいて取得する集合情報と同一の集合情報を取得する
ことを特徴とする受信方法。
【請求項１５】
請求項１３に記載の受信方法において、
少なくとも電波を受信して復調する期間では移動不可能な構成における受信方法であって、
複数の人工衛星のうちのいずれか１つの人工衛星から受信する電波に基づいて、地上局から受信する電波に基づいて取得する集合情報と同一の集合情報を取得する
ことを特徴とする受信方法。
【請求項１６】
請求項１３ないし１５のいずれかに記載の受信方法において、
地上局から受信する電波における取得対象の集合情報の周波数帯以外の信号を減衰し、この減衰処理にて取得した信号を復調して前記集合情報を取得し、
少なくともいずれかの人工衛星から受信する電波における前記取得対象の集合情報の周波数帯以外の信号を減衰し、この減衰処理にて取得した信号を復調して前記集合情報と同一の集合情報を取得し、
少なくともいずれかの人工衛星から受信する電波における前記取得対象の集合情報以外の他の集合情報の周波数帯以外の信号を減衰し、この減衰処理にて取得した信号を復調して前記他の集合情報を取得する
ことを特徴とする受信方法。
【請求項１７】
請求項１３ないし１５のいずれかに記載の受信方法において、
取得対象の集合情報の設定に基づいて、地上局および複数の人工衛星から受信する電波における復調する周波数帯を切り替え、前記取得対象の集合情報およびこの集合情報以外の他の集合情報を取得する
ことを特徴とする受信方法。
【請求項１８】
請求項１３ないし１７のいずれかに記載の受信方法において、
２つの人工衛星から受信する電波に基づいて、２つの集合情報を取得する
ことを特徴とする受信方法。
【請求項１９】
請求項１３ないし１８のいずれかに記載の受信方法を演算手段に実行させる
ことを特徴とした受信プログラム。
【請求項２０】
請求項１９に記載の受信プログラムが演算手段にて読取可能に記録された
ことを特徴とした受信プログラムを記録した記録媒体。
【請求項２１】
複数の異なる情報を複数の集合に区分した複数の集合情報を、区分けする集合毎に異なる周波数帯の電波として出力する地上局と、
前記複数の集合情報を集合毎に異なる周波数帯の電波としてそれぞれ出力する複数の人工衛星と、
請求項１ないし１２のいずれかに記載の受信装置と、
を具備したことを特徴とした通信システム。
【発明の詳細な説明】
【０００１】
【発明の属する技術分野】
本発明は、複数の異なる情報を複数の集合に区分した複数の集合情報を、区分けする集合毎に異なる周波数帯の電波として地上局および複数の人工衛星から受信し、適宜復調して所定の集合情報を取得し、この集合情報に含まれる複数の情報を取得する受信装置、その方法、そのプログラム、そのプログラムを記録した記録媒体、および、通信システムに関する。
【０００２】
【背景技術】
従来、例えば多数の音楽番組を提供するデジタル放送として、ＸＭサテライト・ラジオ社が構築するデジタル放送システム、いわゆるＸＭデジタル放送が知られている。このＸＭデジタル放送は、例えば提供する全１００番組が５０番組ずつの２つの集合に区分けしている。そして、ＸＭデジタル放送は、各５０番組の集合毎に異なる周波数帯で、それぞれ地上に設置させた地上局および２つの人工衛星から電波を出力し、全１００番組を配信している。
【０００３】
すなわち、ＸＭデジタル放送は、都市部に限らず、地上局が近くにない郊外でも番組を取得できるように、地上局および人工衛星から電波を出力している。また、ＸＭデジタル放送では、例えば車両のように移動する移動体でも受信できるように、各５０番組の集合毎の異なる周波数帯の電波を、２つの人工衛星からそれぞれ出力させている。これは、移動体の移動により、一方の人工衛星からの電波を受信できなくなる場合が生じても他方の人工衛星からの電波の受信を確保できるようにしている。
【０００４】
このように、ＸＭデジタル放送では、２つの人工衛星と、地上局とから、２つの集合に関してそれぞれ異なる周波数帯で電波が出力され、計６種類の周波数帯の電波が利用される。そして、ＸＭデジタル放送では、出力される計６種類の周波数帯の電波のうち、取得する番組を含む一方の集合の計３種類の電波を受信することで、所望の番組を取得する構成が採られている。また、取得する番組が他の集合である場合には、他の集合に対応する計３種類の周波数帯の電波を受信する。
【０００５】
【発明が解決しようとする課題】
ところで、従前に取得していた番組から他の番組に切り替える際、他の番組が従前に取得していた番組の集合と異なる集合の場合、この集合に対応する他の計３種類の周波数帯の電波を受信する必要がある。そして、２つの人工衛星からの電波は、約４秒程度の時間差でそれぞれ電波を受信することとなる。すなわち、２つの人工衛星間でタイムインターリーブがある。このことから、１つの人工衛星のみから電波を受信し、取得する番組が他の集合に跨り、受信する電波を切り替える場合には、番組の切替から番組が出力されるまでに約４秒以上を要し、使い勝手の向上が図れない。
【０００６】
本発明は、このような点に鑑みて、容易にタイムインターリーブによる使い勝手の低下を防止できる受信装置、その方法、そのプログラム、そのプログラムを記録した記録媒体、および、通信システムに関する。
【０００７】
【課題を解決するための手段】
請求項１に記載の発明は、複数の異なる情報を複数の集合に区分した複数の集合情報を、区分けする集合毎に異なる周波数帯の電波として地上局および複数の人工衛星からそれぞれ受信し、この受信した電波を復調して所定の前記集合情報を取得し、この取得した集合情報に含まれる前記情報を取得する受信装置であって、前記地上局から受信する電波のうちのいずれか１つの周波数帯を復調して前記集合情報のうちのいずれか１つを取得する地上波取得手段と、少なくともいずれか１つの前記人工衛星から受信する電波であって、前記地上波取得手段にて取得する集合情報と同一の集合情報に対応する周波数帯を復調して前記同一の集合情報を取得する衛星主波取得手段と、少なくともいずれか１つの前記人工衛星から受信する電波であって、前記衛星主波取得手段で取得する集合情報以外の他の集合情報に対応する周波数帯を復調して前記他の集合情報を取得する衛星副波取得手段と、を具備したことを特徴とした受信装置である。
【０００８】
この発明では、地上波取得手段により、地上局から受信する電波のうちのいずれか１つの周波数帯を復調していずれか１つの集合情報を取得する。また、衛星主波取得手段により、複数の人工衛星のうちの少なくといずれか１つから受信する電波のうち、地上波取得手段にて取得する集合情報と同一の集合情報に対応する周波数帯を復調し、地上波取得手段にて取得する集合情報と同一の集合情報を取得する。さらに、衛星副波取得手段により、複数の人工衛星のうちの少なくともいずれか１つから受信する電波のうち、地上波取得手段にて取得する集合情報以外の他の集合情報に対応する周波数帯を復調し、他の集合情報を取得する。このことにより、地上局からの電波および人工衛星からの電波からそれぞれ同一の集合情報が取得され、例えば地上局からの電波が届かずに受信できない地域や人工衛星からの電波が遮蔽されて受信できない地域でも確実に集合情報に含まれる複数の情報が取得可能である。そして、取得する集合情報以外の他の集合情報をも取得するので、復調する周波数帯を他の集合情報の周波数帯に変更したとしても、複数の人工衛星から出力される電波のタイムインターリーブによる情報の取得のタイムラグが短縮し、使い勝手が向上する。
【０００９】
請求項２に記載の発明は、請求項１に記載の受信装置において、移動可能な移動体に設置可能で、衛星主波取得手段は、複数の人工衛星のうちの少なくとも２つ以上の人工衛星から受信する電波に基づいて、地上波取得手段で取得する集合情報と同一の集合情報を取得することを特徴とする。
【００１０】
この発明では、移動可能な移動体に設置可能な構成において、地上波取得手段で取得する集合情報と同一の集合情報を衛星主波取得手段にて取得する際、複数の人工衛星のうちの少なくとも２つ以上の人工衛星から出力される電波に基づいて取得する。このことにより、２つ以上の人工衛星からの電波に基づいて同一の集合情報が取得されることとなり、移動体の移動による電波の受信の際の電界変動が防止され、安定して確実に集合情報に基づく情報の取得が得られる。
【００１１】
請求項３に記載の発明は、請求項１に記載の受信装置において、少なくとも電波を受信して復調する期間では移動不可能に構成され、衛星主波取得手段は、複数の人工衛星のうちのいずれか１つの人工衛星から受信する電波に基づいて、地上波取得手段で取得する集合情報と同一の集合情報を取得することを特徴とする。
【００１２】
この発明では、少なくとも電波を受信して復調する時期では移動不可能な構成において、地上波取得手段で取得する集合情報と同一の集合情報を衛星主波取得手段にて取得する際、複数の人工衛星のうちのいずれか１つの人工衛星から受信する電波に基づいて取得する。このことにより、移動されず固定で受信する構成においては、電界変動が生じないことから、１つの人工衛星からの電波に基づいて集合情報を取得する構成で十分であり、構成が簡略化する。
【００１３】
請求項４に記載の発明は、請求項１ないし３のいずれかに記載の受信装置において、地上局から受信する電波における取得対象の集合情報の周波数帯以外の信号を減衰する地上波フィルタと、少なくともいずれかの人工衛星から受信する電波における前記取得対象の集合情報の周波数帯以外の信号を減衰する衛星主波フィルタと、前記複数の人工衛星から受信する電波における前記取得対象の集合情報以外の他の集合情報の周波数帯以外の信号を減衰する衛星副波フィルタと、を備えたチューナ部を具備し、地上波取得手段は、前記チューナ部の地上波フィルタで処理された信号を復調して集合情報を取得し、衛星主波取得手段は、前記チューナ部の衛星主波フィルタで処理された信号を復調して前記集合情報を取得し、衛星副波取得手段は、前記チューナ部の衛星副波フィルタで処理された信号を復調して前記集合情報以外の他の集合情報を取得することを特徴とする。
【００１４】
この発明では、地上波取得手段により、チューナ部の地上波フィルタにて地上局から受信する電波における取得対象の集合情報の周波数帯以外の信号を減衰処理し、この減衰処理にて取得する信号を復調して取得対象の集合情報を取得する。また、衛星主波取得手段により、チューナ部の衛星主波フィルタにて少なくともいずれかの人工衛星から受信する電波における取得対象の集合情報の周波数帯以外の信号を減衰処理し、この減衰処理にて取得する信号を復調して取得対象の集合情報を取得する。さらに、衛星副波取得手段により、チューナ部の衛星副波フィルタにて少なくともいずれかの人工衛星から受信する電波における取得対象の集合情報以外の他の集合情報の周波数帯以外の信号を減衰処理し、この減衰処理にて取得する信号を復調して取得対象の集合情報以外の他の集合情報を取得する。このことにより、チューナ部で減衰処理する周波数帯を適宜設定することにより、取得する集合情報が選定されるので、簡単な構成で集合情報およびタイムインターリーブによる弊害を防止するための他の集合情報の取得が容易となる。
【００１５】
請求項５に記載の発明は、請求項１ないし３のいずれかに記載の受信装置において、集合情報を設定する設定手段と、この設定手段にて設定された集合情報に対応して、地上局および複数の人工衛星から受信する電波における復調する周波数帯を切り替える切替手段と、を具備したことを特徴とする。
【００１６】
この発明では、切替手段により、設定手段にて設定された集合情報に対応して、地上局および複数の人工衛星から受信する電波における復調する周波数帯を切り替える。このことにより、取得する集合情報が設定手段の設定に対応して切替手段による切替で選定され、簡単な構成で集合情報およびタイムインターリーブによる弊害を防止するための他の集合情報の取得が容易となる。
【００１７】
請求項６に記載の発明は、請求項１ないし５のいずれかに記載の受信装置において、人工衛星は２つで、かつ集合情報は２つであることを特徴とする。
【００１８】
この発明では、２つの人工衛星を利用し、２つの集合情報のいずれか一方を取得する構成において特に好適である。
【００１９】
請求項７に記載の発明は、第１情報を互いに異なる周波数帯域にて放送する第１放送、第２放送および第３放送と、前記第１情報とは異なる内容の第２情報を互いに異なる周波数帯域にて放送する第４放送、第５放送および第６放送とを受信する受信手段と、前記第１放送と第４放送とを復調する第１復調手段と、前記第２放送と第５放送とを復調する第２復調手段と、前記第３放送と第６放送とを復調する第３復調手段と、を備え、前記第１復調手段、前記第２復調手段および前記第３復調手段が同時に復調を実施するとともに、前記第２復調手段が前記第２放送を復調するときに前記第３復調手段は前記第６放送を復調し、前記第２復調手段が前記第５放送を復調するときに前記第３復調手段は前記第３放送を復調することを特徴とした受信装置である。
【００２０】
この発明では、受信手段により、第１情報を互いに異なる周波数帯域にて放送する第１放送、第２放送および第３放送と、第１情報とは異なる内容の第２情報を互いに異なる周波数帯域にて放送する第４放送、第５放送および第６放送とを受信させる。そして、第１復調手段による第１情報の第１放送および第２情報の第４放送の復調、第２復調手段による第１情報の第２放送および第２情報の第５放送の復調、および、第３復調手段による第１情報の第３放送および第２情報の第６放送の復調を同時に実施させる。この復調の際、第２復調手段が第１情報の第２放送を復調するときは第３復調手段で第２情報の第６放送を復調させ、第２復調手段が第２情報の第５放送を復調するときは第３復調手段で第１情報の第３放送を復調させる。このことにより、第１復調手段による復調にて第１情報および第２情報を取得するとともに、第２復調手段で第１情報または第２情報を取得する際には第３復調手段で第２情報または第１情報を取得することとなり、第１情報および第２情報が少なくとも異なる周波数帯域で２つの放送で取得され、確実な情報の取得およびタイムインターリーブによる情報の取得のタイムラグの短縮が得られ、使い勝手が向上する。
【００２１】
請求項８に記載の発明は、請求項７に記載の受信装置において、前記第１情報および前記第２情報のそれぞれは複数の番組を有した番組群を含んで放送され、前記第１情報と前記第２情報とにそれぞれ含まれる番組群からいずれか１つの番組を選択する選択手段と、前記第２復調手段または前記第３復調手段の出力の取得、または、前記第１復調手段の出力の取得を、受信状況に応じて選択して切り替える切替手段と、前記選択手段で選択された前記１つの番組を抽出して出力する抽出手段と、を具備したことを特徴とする。
【００２２】
この発明では、第２復調手段または第３復調手段の出力を取得するか、または、第１復調手段の出力を取得するかを、切替手段により受信状況に応じて選択して切り替え、選択手段にて第１情報と第２情報とにそれぞれ含まれる番組群からいずれか１つ選択された番組を抽出手段で抽出して出力させる。このことにより、複数の番組を含む番組群の情報が複数ある場合でも、タイムインターリーブによる情報の取得のタイムラグを短縮して確実に番組が取得される。
【００２３】
請求項９に記載の発明は、請求項８に記載の受信装置において、前記抽出手段が前記第１情報に含まれる１つの番組を抽出している際に、前記第２情報に含まれる他の１つの番組を前記抽出手段で抽出するように前記選択手段が選択した場合、前記第２復調手段または前記第３復調手段であって前記第２情報を復調していた方の出力を前記抽出手段が取得するとともに、前記第１復調手段が前記第４放送を復調し、かつ、前記第２復調手段または第３復調手段であって前記第１情報を復調していた方の復調を維持することを特徴とする。
【００２４】
この発明では、抽出手段で第１情報に含まれる１つの番組を抽出している際に、第２情報に含まれる他の１つの番組を抽出するように選択手段にて選択した場合、第２情報を復調していた第２復調手段または第３復調手段からの出力を抽出手段で取得させる。さらに、第１復調手段で第２情報の第４放送を復調させるとともに、第１情報を復調していた第２復調手段または第３復調手段における復調を維持させる。このことにより、取得する番組により第１情報および第２情報を切り替える場合でも、確実に抽出している番組が含まれる情報と異なる情報を取得するように制御するので、切替によるタイムインターリーブによる情報の取得のタイムラグを短縮して確実に番組が取得される。
【００２５】
請求項１０に記載の発明は、第１情報を互いに異なる周波数帯域にて放送する第１放送、第２放送および第３放送と、前記第１情報とは異なる内容の第２情報を互いに異なる周波数帯域にて放送する第４放送、第５放送および第６放送とを受信する受信手段と、前記第１放送と前記第４放送とを復調する第１復調手段と、前記第２放送と前記第３放送とを復調する第２復調手段と、前記第５放送と前記第６放送とを復調する第３復調手段と、を備え、前記第１復調手段、前記第２復調手段および前記第３復調手段が同時に復調を実施することを特徴とする。
【００２６】
この発明では、受信手段により、第１情報を互いに異なる周波数帯域にて放送する第１放送、第２放送および第３放送と、第１情報とは異なる内容の第２情報を互いに異なる周波数帯域にて放送する第４放送、第５放送および第６放送とを受信させる。そして、第１復調手段による第１情報の第１放送および第２情報の第４放送の復調、第２復調手段による第１情報の第２放送および第３放送の復調、および、第３復調手段による第２情報の第５放送および第６放送の復調を同時に実施させる。このことにより、第１復調手段による復調にて第１情報および第２情報を取得するとともに、第２復調手段で第１情報を取得し第３復調手段で第２情報を取得するので、第１情報および第２情報が少なくとも異なる周波数帯域で２つの放送で取得され、確実な情報の取得およびタイムインターリーブによる情報の取得のタイムラグの短縮が得られ、使い勝手が向上する。
【００２７】
請求項１１に記載の発明は、請求項１０に記載の受信装置において、前記第１情報および前記第２情報のそれぞれは複数の番組を有した番組群を含んで放送され、前記第１情報と前記第２情報とにそれぞれ含まれる番組群からいずれか１つの番組を選択する選択手段と、前記第２復調手段と前記第３復調手段とがそれぞれ復調する放送、および、前記第２復調手段または前記第３復調手段の出力を取得するか、または、前記第１復調手段の出力を取得するかを、受信状況に応じて選択して切り替える切替手段と、前記選択手段で選択された前記１つの番組を抽出して出力する抽出手段と、を具備したことを特徴とする。
【００２８】
この発明では、切替手段により、選択手段で第１情報と第２情報とにそれぞれ含まれる番組群からいずれか１つに選択された番組に基づいて、受信状況に応じて第２復調手段および第３復調手段がそれぞれいずれの放送を復調するかを選択して切り替える。さらに、切替手段により、受信状況に応じて第２復調手段または第３復調手段の出力を取得するか、または、第１復調手段の出力を取得するかを選択して切り替える。そして、選択手段にて選択された番組を抽出手段で抽出して出力させる。このことにより、複数の番組を含む番組群の情報が複数ある場合でも、タイムインターリーブによる情報の取得のタイムラグを短縮して確実に番組が取得される。
【００２９】
請求項１２に記載の発明は、請求項１１に記載の受信装置において、前記抽出手段が前記第１情報に含まれる１つの番組を抽出している際に、前記第２情報に含まれる他の１つの番組を前記抽出手段で抽出するように前記選択手段が選択した場合には、前記第３復調手段の出力を前記抽出手段が取得するとともに、前記第１復調手段が前記第４放送を復調し、かつ、前記第２復調手段による前記第２放送および前記第３放送の復調を維持することを特徴とする。
【００３０】
この発明では、抽出手段で第１情報に含まれる１つの番組を抽出している際に、第２情報に含まれる他の１つの番組を抽出するように選択手段にて選択した場合、第２情報を復調する第３復調手段の出力を抽出手段で取得させる。さらに、第１復調手段で第２情報の第４放送を復調させるとともに、第２復調手段による第１情報の第２放送および第３放送の復調を維持させる。このことにより、取得する番組により第１情報および第２情報を切り替える場合でも、確実に抽出している番組が含まれる情報と異なる情報を取得するように制御するので、切替によるタイムインターリーブによる情報の取得のタイムラグを短縮して確実に番組が取得される。
【００３１】
請求項１３に記載の発明は、請求項１に記載の受信装置を受信方法に展開したもので、複数の異なる情報を複数の集合に区分けした複数の集合情報を、区分けする集合毎に異なる周波数帯の電波として地上局および複数の人工衛星からそれぞれ受信し、この受信した電波を復調して所定の前記集合情報を取得し、この取得した集合情報に含まれる前記情報を取得する受信方法であって、前記地上局から受信する電波のうちのいずれか１つの周波数帯を復調して前記集合情報のうちのいずれか１つを取得し、少なくともいずれか１つの前記人工衛星から受信する電波であって、前記地上局から受信する電波に基づいて取得する集合情報と同一の集合情報に対応する周波数帯を復調し、前記同一の集合情報を取得し、少なくともいずれか１つの前記人工衛星から受信する電波であって、前記地上局から受信する電波に基づいて取得する集合情報以外の他の集合情報に対応する周波数帯を復調して前記他の集合情報を取得することを特徴とする。このことにより、請求項１に記載の発明と同様の作用効果を享受する。
【００３２】
請求項１４ないし１８に記載の発明は、請求項１３に記載の受信方法において、請求項２ないし６に記載の受信装置に対応する受信方法である。このことにより、請求項２ないし６に記載の発明と同様の作用効果を享受する。
【００３３】
請求項１９に記載の発明は、請求項１３ないし１８のいずれかに記載の受信方法を演算手段に実行させることを特徴とした受信プログラムである。
【００３４】
この発明では、例えば汎用のコンピュータを演算手段として利用しインストールすることにより請求項１３ないし１８のいずれかに記載の受信方法を演算手段に実行させることができ、本発明の利用促進を大幅に図ることができる。
【００３５】
請求項２０に記載の発明は、請求項１９に記載の受信プログラムが演算手段にて読取可能に記録されたことを特徴とした受信プログラムを記録した記録媒体である。
【００３６】
この発明では、請求項１３ないし１８のいずれかに記載の受信方法を実行させるための請求項１９に記載の受信プログラムを記録媒体に記録させるので、受信プログラムの取扱が容易で、本発明の利用促進を大幅に図ることができる。
【００３７】
請求項２１に記載の発明は、複数の異なる情報を複数の集合に区分した複数の集合情報を、区分けする集合毎に異なる周波数帯の電波として出力する地上局と、前記複数の集合情報を集合毎に異なる周波数帯の電波としてそれぞれ出力する複数の人工衛星と、請求項１ないし１２のいずれかに記載の受信装置と、を具備したことを特徴とした通信システムである。
【００３８】
この発明では、複数の人工衛星から出力される電波のタイムインターリーブによる情報取得のタイムラグが短縮し、使い勝手が向上する請求項１ないし１２のいずれかに記載の受信装置を用いるので、使用する地域環境にかかわらず確実に集合情報に含まれる複数の情報を取得するための通信が容易となる。
【００３９】
【発明の実施の形態】
以下に、本発明の通信システムの実施の形態を図面に基づいて説明する。
【００４０】
〔第１の実施の形態〕
（通信システムの構成）
図１は、本発明の通信システムの一実施の形態の概略構成を示す模式図である。図２は、通信システムにおける送受信する電波の状態を示す概念図である。
【００４１】
この図１において、１は通信システムで、この通信システム１は、例えば複数の音楽番組や報道番組などの複数の情報を広域に提供し端末で受信して鑑賞するシステムである。そして、通信システム１は、地上局２と、複数、例えば２つの人工衛星３ａ，３ｂと、後述する端末である受信装置と、を備えている。
【００４２】
地上局２は、基地局４から出力される電波を直接あるいは人工衛星３ａ，３ｂを介して取得する。そして、地上局２は、取得した電波を適宜増幅あるいは変換などの処理をし、図２に示すように、複数、例えば異なる周波数帯域の２種類の第１放送である周波数帯ＴｅｒＡおよび第４放送である周波数帯ＴｅｒＢの地上波として出力する。すなわち、音楽番組や報道番組などの複数の番組はそれぞれ異なる周波数帯で所定の周波数間隔で提供される。このことから、１００番組以上の多数の番組を提供する場合、その周波数域は広域となり、送受信に大きな負荷となる。したがって、複数の番組を、番組群である複数の集合情報、例えば５０番組ずつの２つのいわゆる第１情報であるアンサンブルＡおよび第２情報であるアンサンブルＢに分けて、それぞれのアンサンブルＡ，Ｂを異なる周波数帯の地上波として出力させる。
【００４３】
各人工衛星３ａ，３ｂは、基地局４から出力される電波を取得し、適宜処理して図２に示すように、複数、例えばそれぞれ異なり周波数帯ＴｅｒＡ，ＴｅｒＢとも異なる周波数帯域で２種類の第２（３）放送である周波数帯Ｓａｔ１（２）Ａおよび第５（６）放送であるＳａｔ１（２）Ｂの衛星波として出力する。すなわち、上述した地上波の場合と同様に、人工衛星３ａ，３ｂからそれぞれ出力する電波も、アンサンブルＡ，Ｂに対応して２種類の周波数帯Ｓａｔ１（２）Ａ，Ｓａｔ１（２）Ｂの衛星波としてそれぞれ出力させる。
【００４４】
（受信装置の構成）
次に、受信装置の構成について図面を参照して説明する。図３は、本実施の形態における受信装置を示すブロック図である。図４は、受信装置で受信する電波の処理動作を示す説明図である。
【００４５】
図３において、１０は受信装置で、この受信装置１０は、図示しない移動体としての例えば自動車などの車両に搭載されて利用される。そして、受信装置１０は、受信アンテナ１１と、図示しない選択手段としての入力手段と、システムコントローラ１２と、受信手段としてのＲＦチューナ部１３と、チャンネルデコーダ１４と、ソースデコーダ１５と、を備えている。
【００４６】
受信アンテナ１１は、地上波を受信する地上波アンテナ１７と、衛星波を受信する衛星波アンテナ１８とを備えている。
【００４７】
入力手段は、例えば利用者により入力操作される図示しないボタンやスイッチなどを有している。そして、入力手段は、ボタンやスイッチなどの入力操作に応じて所定の信号をシステムコントローラ１２に出力する。このことにより、例えば利用者の取得対象である鑑賞目的の所定の番組を設定入力するなど、受信装置１０全体の動作が設定される。なお、入力手段による設定入力としては、ボタンやスイッチなどの入力操作に限らず、例えば音声入力にて設定入力するなど、いずれの方法でもできる。
【００４８】
システムコントローラ１２は、受信装置１０全体の動作を制御する。また、システムコントローラ１２は、この受信装置１０に接続される図示しない出力装置に取得した情報を出力し、出力装置で例えば音声や画像などにて出力させる。
【００４９】
ＲＦチューナ部１３は、地上波チューナ部２１と、衛星波チューナ部２２とを備えている。地上波チューナ部２１は、地上波アンテナ１７に接続されている。また、衛星波チューナ部２２は、衛星波アンテナ１８に接続されている。
【００５０】
そして、地上波チューナ部２１は、第１地上波増幅回路２４と、第１地上波フィルタ２５と、切替手段としての第１地上波周波数変換回路２６と、地上波フィルタとしての第２地上波フィルタ２７と、第２地上波周波数変換回路２８と、第２地上波増幅回路２９と、を備えている。
【００５１】
第１地上波増幅回路２４は、地上波アンテナ１７にて受信した電波を増幅する。
【００５２】
第１地上波フィルタ２５は、第１地上波増幅回路２４で増幅された信号について、地上局２から出力される周波数帯以外の信号を減衰させる処理をする。この減衰する周波数帯は、２つのアンサンブルＡ，Ｂの周波数帯ＴｅｒＡ，ＴｅｒＢの範囲である。
【００５３】
第１地上波周波数変換回路２６は、第１地上波フィルタ２５で減衰処理により取得した信号を所定の中間周波信号に変換する。この第１地上波周波数変換回路２６は、第１地上波混合回路２６ａと、第１地上波局部発振回路２６ｂとを備えている。第１地上波混合回路２６ａは、高周波信号を効率よく中間周波信号に変換して雑音を少なくする。第１地上波局部発振回路２６ｂは、例えば安定で回路が簡易なコルピッツ発振回路を原形とした安定度が高いクランプ回路である。そして、第１地上波発振回路２６ｂは、中間周波数が一定となるように２つの異なる第１局部発振周波数を適宜切り替えて第１地上波混合回路２６ａを制御する。この第１局部発振周波数の切替は、利用者の入力操作による入力手段からの信号に基づいてシステムコントローラ１２が実行する。具体的には、利用者による入力操作により、アンサンブルＡまたはアンサンブルＢに切り替える。
【００５４】
第２地上波フィルタ２７は、入力手段で設定されたいずれかのアンサンブルＡ，Ｂに対応する周波数帯以外の信号を減衰させる処理をする。すなわち、第２地上波フィルタ２７は、周波数帯ＴｅｒＡのアンサンブルＡまたは周波数帯ＴｅｒＢのアンサンブルＢのいずれか一方を取得する。この第２地上波フィルタ２７により減衰処理する周波数帯ＴｅｒＡ，ＴｅｒＢは、入力手段で設定されたアンサンブルＡ，Ｂを認識したシステムコントローラ１２による制御にて、設定されたアンサンブルＡ，Ｂに対応して設定される。
【００５５】
さらに、第２地上波周波数変換回路２８は、第２地上波フィルタ２７で取得した信号を所定の中間周波信号に変換する。
【００５６】
第２地上波増幅回路２９は、図示しないボリュームを有している。この第２地上波増幅回路２９は、第２地上波周波数変換回路２８で変換した信号を所定の中間周波信号に増幅する。
【００５７】
そして、地上波チューナ部２１は、地上波アンテナ１７で受信した信号を、入力手段で設定されたアンサンブルＡ，Ｂに対応する所定の信号としてチャンネルデコーダ１４に出力する。
【００５８】
一方、衛星波チューナ部２２は、第１衛星波増幅回路３１と、第１衛星波フィルタ３２と、切替手段としての第１衛星波周波数変換回路３３、衛星主波フィルタとしての第２衛星波フィルタ３４と、衛星副波フィルタとしての第３衛星波フィルタ３５と、第２衛星波周波数変換回路３６と、第２衛星波増幅回路３７と、を備えている。
【００５９】
第１衛星波増幅回路３１は、衛星波アンテナ１８にて受信した電波を増幅する。
【００６０】
第１衛星波フィルタ３２は、第１衛星波増幅回路３１で増幅された信号について、人工衛星３ａ，３ｂからそれぞれ出力される周波数帯以外の信号を減衰させる処理をする。この減衰する周波数帯は、２つの人工衛星３ａ，３ｂからそれぞれ出力される２つのアンサンブルＡ，Ｂの周波数帯Ｓａｔ１（２）Ａ，Ｓａｔ１（２）Ｂの範囲である。すなわち、図４（ａ）中の点線で囲まれる範囲である。
【００６１】
第１衛星波周波数変換回路３３は、第１衛星波フィルタ３２で減衰処理により取得した信号を所定の中間周波信号に変換する。この第１衛星波周波数変換回路３３は、第１衛星波混合回路３３ａと、第１衛星波局部発振回路３３ｂとを備えている。第１衛星波混合回路３３ａは、高周波信号を効率よく中間周波信号に変換して雑音を少なくする。第１衛星波局部発振回路３３ｂは、例えば安定で回路が簡易なコルピッツ発振回路を原形とした安定度が高いクラップ回路である。そして、第１衛星波局部発振回路３３ｂは、中間周波数が一定となるように２つの異なる第１局部発振周波数を適宜切り替えて第１衛星波混合回路３３ａを制御する。この第１局部発振周波数の切替は、利用者の入力操作による入力手段からの信号に基づいて、システムコントローラ１２が実行する。そして、この切替は、第１地上波周波数変換回路２６と連動して実行される。
【００６２】
第２衛星波フィルタ３４は、入力手段で設定されたアンサンブルＡ，Ｂに対応する周波数帯以外の信号を減衰させる処理をする。すなわち、第２衛星波フィルタ３４は、２つの人工衛星３ａ，３ｂからそれぞれ出力される周波数帯であって、第２地上波フィルタ２７で取得するアンサンブルＡ，Ｂと同一の周波数帯Ｓａｔ１（２）ＡのアンサンブルＡまたは周波数帯Ｓａｔ１（２）ＢのアンサンブルＢをそれぞれ取得する。この第２衛星波フィルタ３４により減衰処理する周波数帯Ｓａｔ１（２）Ａまたは周波数帯Ｓａｔ１（２）Ｂは、入力手段で設定されたアンサンブルＡ，Ｂを認識したシステムコントローラ１２による制御にて、設定されたアンサンブルＡ，Ｂに対応して設定される。
【００６３】
第３衛星波フィルタ３５は、入力手段で設定されたアンサンブルＡ，Ｂ以外の他のアンサンブルＢ，Ａに対応する周波数帯以外の信号を減衰させる処理をする。すなわち、第３衛星波フィルタ３５は、２つの人工衛星３ａ，３ｂからそれぞれ出力される周波数帯であって、第２地上波フィルタ２７で取得するアンサンブルＡ，Ｂではない他方のアンサンブルＢ，Ａである周波数帯Ｓａｔ１（２）ＢのアンサンブルＢまたは周波数帯Ｓａｔ１（２）ＡのアンサンブルＡを取得する。この第３衛星波フィルタ３５も、第２衛星波フィルタ３４と同様に、システムコントローラ１２により制御される。上記、第２衛星波フィルタ３４および第３衛星波フィルタ３５により、図４（ａ）に示すような波形から図４（ｂ）に示すような波形に処理される。
【００６４】
第２衛星波周波数変換回路３６は、第２衛星波フィルタ３４および第３衛星波フィルタ３５で取得した信号を所定の中間周波信号に変換する。この第２衛星波周波数変換回路３６は、第２衛星波混合回路３６ａおよび第２衛星波局部発振回路３６ｂを有している。第２衛星波混合回路３６ａは、第１衛星波混合回路３３ａと同様に、効率よく所定の中間周波信号に変換して雑音を少なくする。第２衛星波局部発振回路３６ｂは、図示しない基準周波数に基づいて発振周波数が一定となるように制御される。そして、この第２衛星波周波数変換回路３６により、図４（ｂ）に示すような波形が図４（ｃ）に示すような波形に処理される。
【００６５】
第２衛星波増幅回路３７は、図示しないボリュームを有している。この第２衛星波増幅回路３７は、第２衛星波周波数変換回路３６で変換した信号を所定の中間周波信号に増幅する。
【００６６】
そして、衛星波チューナ部２２は、衛星波アンテナ１８で受信した信号を、入力手段で設定された一方のアンサンブルＡ，Ｂおよび他方のアンサンブルＢ，Ａに対応する所定の信号としてチャンネルデコーダ１４に出力する。
【００６７】
一方、チャンネルデコーダ１４は、Ａ／Ｄ（アナログ／デジタル）コンバータ４１，４２と、地上波取得手段としての第１復調手段である地上波復調手段４３と、２つの衛星主波取得手段としての第２復調手段である衛星主波復調手段４４ａ，４４ｂと、衛星副波取得手段としての第３復調手段としての衛星副波復調手段４５と、抽出手段としてのチャンネルデコード部４６と、を備えている。
【００６８】
Ａ／Ｄコンバータ４１は、地上波チューナ部２１に接続されている。このＡ／Ｄコンバータ４１は、地上波チューナ部２１で取得された信号を適宜デジタル信号に変換する。そして、変換したデジタル信号は、地上波復調手段４３に出力される。
【００６９】
Ａ／Ｄコンバータ４２は、衛星波チューナ部２２に接続されている。このＡ／Ｄコンバータ４２は、衛星波チューナ部２２で取得された信号を適宜デジタル信号に変換する。そして、変換したデジタル信号は、衛星主波復調手段４４ａ，４４ｂおよび衛星副波復調手段４５に出力される。
【００７０】
地上波復調手段４３は、Ａ／Ｄコンバータ４１で変換されたデジタル信号を復調しアンサンブルＡ，Ｂを取得する。この地上波復調手段４３は、利用者の入力操作にて入力手段からの信号に基づいてアンサンブルＡ，Ｂを設定したシステムコントローラ１２により制御される。この制御により、地上波復調手段４３は、入力手段で設定され地上波チューナ部２１で減衰処理されて取得された一方のアンサンブルＡ，Ｂを復調する。この復調した一方のアンサンブルＡ，Ｂの信号は、チャンネルデコード部４６に出力される。
【００７１】
２つの衛星主波復調手段４４ａ，４４ｂは、それぞれ人工衛星３ａ，３ｂに対応し、Ａ／Ｄコンバータ４２で変換されたデジタル信号を復調し、アンサンブルＡ，Ｂを取得する。すなわち、これら衛星主波復調手段４４ａ，４４ｂは、デジタル信号に含まれ各人工衛星３ａ，３ｂからそれぞれ出力されるアンサンブルＡ，Ｂであって、地上波復調手段４３で取得するアンサンブルＡ，Ｂと同一のアンサンブルＡ，Ｂをそれぞれ人工衛星３ａ，３ｂに対応して取得する。この各衛星主波復調手段４４ａ，４４ｂで取得するアンサンブルＡ，Ｂは、地上波復調手段４３と同様にシステムコントローラ１２により制御される。すなわち、地上波復調手段４３で取得するアンサンブルＡ，Ｂと同一のアンサンブルＡ，Ｂを選択的に取得する。これら復調された一方のアンサンブルＡ，Ｂの信号は、チャンネルデコード部４６に出力される。
【００７２】
衛星副波復調手段４５は、２つの人工衛星３ａ，３ｂのいずれか一方に対応し、Ａ／Ｄコンバータ４２で変換されたデジタル信号を復調し、アンサンブルＢ，Ａを取得する。すなわち、衛星副波復調手段４５は、デジタル信号に含まれるいずれか１つの人工衛星３ａ，３ｂから出力されるアンサンブルＡ，Ｂであって、地上波復調手段４３で取得するアンサンブルＡ，Ｂではない他方のアンサンブルＢ，Ａを取得する。この衛星副波復調手段４５は、入力手段による設定を認識したシステムコントローラ１２による制御にて、他方のアンサンブルＢ，Ａを選択的に取得する。この復調された他方のアンサンブルＢ，Ａの信号は、チャンネルデコード部４６に出力される。
【００７３】
チャンネルデコード部４６は、地上波復調手段４３、２つの衛星主波復調手段４４ａ，４４ｂおよび衛星副波復調手段４５から出力される信号を復号処理する。すなわち、すなわち、復調処理にて得られた各アンサンブルＡ，Ｂの時間差、いわゆるタイムインターリーブを、いわゆるデインターリーブする。チャンネルデコード部４６は、デインターリーブにより、地上局２および人工衛星３ａ，３ｂから出力される各番組情報を生成する。
【００７４】
一方、ソースデコーダ１５は、システムコントローラ１２により制御され、チャンネルデコーダ１４のチャンネルデコード部４６からの各番組情報に基づいて、全番組に関する情報、いわゆる番組表情報を生成する。
【００７５】
（通信システムの動作）
次に、上記実施の形態の通信システムにおける情報の送受信の動作について、図面を参照して説明する。図５は、受信装置における番組情報を取得する動作を示すフローチャートである。図６は、受信装置における他の番組情報に切り替える動作を示すフローチャートである。
【００７６】
利用者により電源がオンされて電力が供給されると（ステップＳ１）、システムコントローラ１２は、はじめの番組情報であるアンサンブルＡに含まれる１チャンネル、すなわち番組表情報を設定する（ステップＳ２）。さらに、システムコントローラ１２は、地上局２および人工衛星３ａ，３ｂから出力される電波を受信し、ＲＦチューナ部１３にて１チャンネルの信号を取得させる。そして、システムコントローラ１２は、取得した信号をチャンネルデコーダ１４で復調させ、１チャンネルの番組表情報を取得する（ステップＳ３）。なお、この取得した番組表情報は、システムコントローラ１２の記憶手段に記憶される。
【００７７】
この後、システムコントローラ１２は、利用者により、入力手段の入力操作にて特定の番組が選択されて設定されたか否かを判断する。そして、システムコントローラ１２が番組の設定入力がないと判断した場合には、例えばシステムコントローラ１２に設けられた図示しない内蔵メモリなどの記憶手段に記憶された番組を設定する。この記憶手段に記憶された番組は、例えば電源がオフされる直前に設定されていた最後の番組に関する情報である。また、システムコントローラ１２が番組の設定入力があると判断した場合には、その番組を設定する。この番組の設定の際、番組に関する情報が記憶手段に記憶される（ステップＳ４）。
【００７８】
そして、システムコントローラ１２は、ステップＳ４で設定した番組に基づいて、いずれのアンサンブルＡ，Ｂに属する番組かを判断する（ステップＳ５）。
【００７９】
まず、このステップＳ５において、システムコントローラ１２がアンサンブルＡに属する番組が設定されたと判断した場合について説明する。この場合、すでにアンサンブルＡに含まれる１チャンネルを取得する制御をしているので、システムコントローラ１２はＲＦチューナ部１３およびチャンネルデコーダ１４を制御し、アンサンブルＡを受信させる。すなわち、地上局２からアンサンブルＡに関する周波数帯ＴｅｒＡの地上波を取得させる。さらに、人工衛星３ａ，３ｂからアンサンブルＡに関する周波数帯Ｓａｔ１Ａ，Ｓａｔ２Ａの２つの衛星波と、他のアンサンブルＢに関する周波数帯Ｓａｔ１（２）Ｂの１つの衛星波と、を取得させる。そして、システムコントローラ１２は、デインターリーブ処理し、アンサンブルＡに関する情報を生成させる処理をする（ステップＳ６）。
【００８０】
この後、システムコントローラ１２は、生成したアンサンブルＡに関する情報に基づいて取得した番組に関する情報を出力手段に出力する。この出力により、適宜番組が出力される（ステップＳ７）。
【００８１】
一方、ステップＳ５において、システムコントローラ１２がアンサンブルＢに属する番組が設定されたと判断した場合について説明する。この場合、それまでアンサンブルＡに含まれる１チャンネルを取得する制御をしているので、システムコントローラ１２はアンサンブルＡ，Ｂを切り替えるための処理をする（ステップＳ８）。すなわち、アンサンブルＡを受信している状態から、アンサンブルＢを受信する状態に切り替える。この切替制御により、地上局２からアンサンブルＡに関する周波数帯ＴｅｒＢの地上波を取得する。さらに、人工衛星３ａ，３ｂからアンサンブルＢに関する周波数帯Ｓａｔ１Ｂ，Ｓａｔ２Ｂの２つの衛星波と、他のアンサンブルＢに関する周波数帯Ｓａｔ１（２）Ｂの１つの衛星波と、を取得する。そして、システムコントローラ１２は、デインターリーブ処理し、アンサンブルＢに関する情報を生成させる処理をする（ステップＳ９）。
【００８２】
この後、システムコントローラ１２は、生成したアンサンブルＢに関する情報に基づいて取得した番組に関する情報を出力手段に出力する。この出力により、適宜番組が出力される（ステップＳ１０）
【００８３】
そして、利用者が、入力手段により、他の情報である他の番組に切り替える入力操作をした場合、図６に示すように動作する。すなわち、システムコントローラ１２は、利用者による入力操作にて、入力手段からの信号に基づいてチャンネルを選択する旨の番組設定を認識する（ステップＳ１１）。そして、システムコントローラ１２は、選択された番組がそれまで出力していた番組と同じアンサンブルＡ，Ｂであるかを判断し、アンサンブルＡ，Ｂを切り替える必要があるか否かを判断する（ステップＳ１２）。
【００８４】
このステップＳ１２において、選択された番組が出力されていた番組と同一のアンサンブルＡ，Ｂで、アンサンブルＡ，Ｂの切替が必要ないと判断した場合、選択された番組を出力手段に出力させる。そして、この出力により、選択された番組が適宜出力される（ステップＳ１３）。
【００８５】
一方、ステップＳ１２において、選択された番組が出力されていた番組と異なるアンサンブルＡ，Ｂで、アンサンブルＡ，Ｂの切替が必要であると判断した場合、アンサンブルＡ，Ｂを切り替えるための処理をする。すなわち、地上局２および人工衛星３ａ，３ｂから受信する電波の周波数帯を切り替える。そして、切り替えて受信したアンサンブルＡ，Ｂに含まれる選択された番組を出力手段に出力し、適宜出力手段から出力させる（ステップＳ１４）。
【００８６】
このように、一旦図５に示すステップＳ６，Ｓ９でのデインターリーブ処理を実施しバッファした後は、番組の切替要求によりアンサンブルＡ，Ｂを切り替える場合でも、その時間分遅延をもたせる必要がなく、番組の切替要求から出力されるまでの時間を短縮できる。
【００８７】
すなわち、上記実施の形態のように、番組数が多いことから、アンサンブルＡ，Ｂに分けて番組を配信する。このことにより、送受信の負荷を低減できる。そして、この構成において、地上局２および人工衛星３ａ，３ｂからそれぞれ同一のアンサンブルＡ，Ｂを受信する。このため、例えば地上局２からの電波が届かずに受信できない地域や人工衛星３ａ，３ｂからの電波が遮蔽されて受信できない地域でも、確実に番組を受信できる。この複数のアンサンブルＡ，Ｂを取得する際、取得する番組を含むアンサンブルＡ，Ｂとともに他のアンサンブルＢ，Ａも受信する。従って、地上波のアンサンブルＡ，Ｂに関する信号をそれぞれ復調する手段、２つの衛星波のアンサンブルＡ，Ｂに関する信号をそれぞれ復調する手段の計６つの手段によりデインターリーブによる遅延処理をする場合と同様にデインターリーブによる遅延処理は１度実施するのみでよく、アンサンブルＡ，Ｂの切替が必要な場合でも、出力までの時間を短縮できる。
【００８８】
さらに、復調する手段の構成を６つの放送を復調させる必要がなく、４つの構成のみで同様な効果が得られるので、構成を簡略化でき、製造性の向上やコストの低減が容易に図れる。すなわち、タイムインターリーブによる不具合を解消するために、２つの集合の計６種類の周波数帯の電波を全て取得して復調することも考えられる。しかしながら、この構成では、処理負荷が大きくなり、装置の大型化や消費電力の増大などを生じるおそれがある。このことから、上述する実施の形態では、４つの構成のみでタイムインターリーブによる不具合を解消でき、構成の簡略化を図ることができる。
【００８９】
そして、２つの人工衛星３ａ，３ｂからそれぞれ同一のアンサンブルＡ，Ｂを受信する。すなわち、地上局２から受信するアンサンブルＡ，Ｂ、出力までの時間を短縮するための他のアンサンブルＢ，Ａの受信と併せて、地上局２から受信するアンサンブルＡ，Ｂと同一のアンサンブルＡ，Ｂの計４波を受信する。このため、移動する車両に搭載する構成でも安定した番組の受信ができる。
【００９０】
また、電波を受信するＲＦチューナ部１３の衛星波チューナ部２２により、図４に示すような人工衛星３ａ，３ｂからの電波の処理にて、取得する番組のアンサンブルＡ，Ｂとともに、他のアンサンブルＢ，Ａを受信する。このため、簡単な構成で、異なるアンサンブルＡ，Ｂの双方を取得して出力までの時間短縮を図る構成が容易に得られる。
【００９１】
〔第２の実施の形態〕
次に、本発明の通信システムの他の実施の形態について、図面を参照して説明する。なお、この第２の実施の形態は、上述した図１ないし図６に示す第１の実施の形態において、車両に搭載する構成の代わりに、一般家庭内などで設置して利用する固定型の受信装置の他の例示である。この第２の実施の形態において、第１の実施の形態と同一の構成については、同一の符号を付し、説明を省略する。図７は、第２の実施の形態における受信装置を示すブロック図である。
【００９２】
（受信装置の構成）
図７において、１００は受信装置で、この受信装置１００は、例えば一般家庭内や店舗内、事業所内などに設置されて利用される。この受信装置１００は、第１の実施の形態と同様の受信アンテナ１１、図示しない入力手段、システムコントローラ１２、ＲＦチューナ部１３およびソースデコーダ１５と、チャンネルデコーダ１０１と、を備えている。
【００９３】
そして、チャンネルデコーダ１０１は、Ａ／Ｄ（アナログ／デジタル）コンバータ４１，４２と、地上波取得手段としての第１復調手段である地上波復調手段４３と、衛星主波取得手段としての第２復調手段である衛星主波復調手段１０２と、衛星副波取得手段としての第３復調手段である衛星副波復調手段１０３と、抽出手段としてのチャンネルデコード部４６と、を備えている。すなわち、チャンネルデコーダ１０１は、図１ないし図６に示す第１の実施の形態のチャンネルデコーダ１４において、衛星主波復調手段４４ａ，４４ｂおよび衛星副波復調手段４５にて３波を復調する構成に代えて、衛星主波復調手段１０２および衛星副波復調手段１０３にて２波を復調する構成である。
【００９４】
そして、衛星主波復調手段１０２は、２つの人工衛星３ａ，３ｂのいずれか一方に対応し、Ａ／Ｄコンバータ４２で変換されたデジタル信号を復調し、アンサンブルＡ，Ｂを取得する。すなわち、衛星主波復調手段１０２は、地上波復調手段４３で取得するアンサンブルＡ，Ｂと同一のアンサンブルＡ，Ｂを、人工衛星３ａ，３ｂのいずれか一方に対応して取得する。そして、復調された一方のアンサンブルＡ，Ｂの信号は、チャンネルデコード部４６に出力される。
【００９５】
また、衛星副波復調手段１０３は、２つの人工衛星３ａ，３ｂのいずれか一方に対応し、Ａ／Ｄコンバータ４２で変換されたデジタル信号を復調し、アンサンブルＢ，Ａを取得する。すなわち、衛星副波復調手段１０３は、地上波復調手段４３で取得するアンサンブルＡ，Ｂではない他方のアンサンブルＢ，Ａを、人工衛星３ａ，３ｂのいずれか一方に対応して取得する。そして、復調された他方のアンサンブルＢ，Ａの信号は、チャンネルデコード部４６に出力される。
【００９６】
これら衛星主波復調手段１０２および衛星副波復調手段１０３による復調処理は、人工衛星３ａ，３ｂから受信する受信状況である電波の強さに基づいて、電波の強い方を受信するとよい。なお、同一の人工衛星３ａ，３ｂからの電波に基づいて復調する場合に限らず、別々の人工衛星３ａ，３ｂからの電波に基づいてそれぞれ復調させて異なるアンサンブルＡ，Ｂを取得する構成としてもよい。
【００９７】
（通信システムの動作）
次に、上記図７に示す受信装置を利用した通信システムの情報の送受信の動作について、図面を参照して説明する。図８は、受信装置における番組情報を取得する動作を示すフローチャートである。
【００９８】
利用者により電源がオンされて電力が供給されると（ステップＳ２１）、システムコントローラ１２は、図１ないし図６に示す第１の実施の形態と同様に、はじめの番組情報であるアンサンブルＡに含まれる１チャンネル、すなわち番組表情報を設定する（ステップＳ２２）。さらに、システムコントローラ１２は、第１の実施の形態と同様に、地上局２および人工衛星３ａ，３ｂから出力される電波を受信し、ＲＦチューナ部１３およびチャンネルデコーダ１０１にて適宜処理し、１チャンネルの番組表情報を取得する（ステップＳ２３）。この取得した番組表情報は、システムコントローラ１２の記憶手段に記憶される。
【００９９】
この後、システムコントローラ１２は、利用者により、入力手段の入力操作にて特定の番組が選択されて設定されたか否かを判断する。そして、システムコントローラ１２は、第１の実施の形態と同様に、特定の番組が選択されたことを認識した場合、その選択された番組に関する情報を記憶手段に記憶して設定する（ステップＳ２４）。
【０１００】
さらに、システムコントローラ１２は、第１の実施の形態と同様に、ステップＳ２４で設定した番組に基づいて、いずれのアンサンブルＡ，Ｂに属する番組かを判断する（ステップＳ２５）。このステップＳ２５において、アンサンブルＡであると判断した場合、すでにアンサンブルＡの１チャンネルを取得しているので、アンサンブルＡをそのまま受信させる。
【０１０１】
すなわち、地上局２からアンサンブルＡに関する周波数帯ＴｅｒＡの地上波を取得させる。さらに、衛星主波復調手段１０２で、人工衛星３ａ，３ｂからの電波に基づいて、それぞれアンサンブルＡに関する周波数帯Ｓａｔ１Ａ，Ｓａｔ２Ａで処理した波形を処理取得させる。そして、システムコントローラ１２は、デインターリーブ処理し、アンサンブルＡに関する情報を生成させる（ステップＳ２６）。
【０１０２】
この後、システムコントローラ１２は、人工衛星３ａ，３ｂからの受信状況、すなわち電波の強さを比較して、いずれかの人工衛星３ａ，３ｂから受信させるかを決定する処理をする（ステップＳ２７）。そして、システムコントローラ１２は、生成したアンサンブルＡに関する情報に基づいて取得した番組に関する情報を、出力手段から出力させる制御をする（ステップＳ２８）。
【０１０３】
一方、ステップＳ２５において、アンサンブルＢであると判断した場合、それまでアンサンブルＡの１チャンネルを取得しているので、アンサンブルＢに切り替えるための処理をする（ステップＳ２９）。このステップＳ２９により切替制御により、地上局２からアンサンブルＡに関する周波数帯ＴｅｒＢの地上波を取得する。さらに、衛星主波復調手段１０２で、人工衛星３ａ，３ｂからの電波に基づいて、それぞれアンサンブルＢに関する周波数帯Ｓａｔ１Ｂ，Ｓａｔ２Ｂで処理した波形を処理取得させる。そして、システムコントローラ１２は、デインターリーブ処理し、アンサンブルＢに関する情報を生成させる（ステップＳ３０）。
【０１０４】
この後、システムコントローラ１２は、人工衛星３ａ，３ｂからの受信状況、すなわち電波の強さを比較して、いずれかの人工衛星３ａ，３ｂから受信させるかを決定する処理をする（ステップＳ３１）。そして、システムコントローラ１２は、生成したアンサンブルＢに関する情報に基づいて取得した番組に関する情報を、出力手段から出力させる制御をする（ステップＳ３２）。
【０１０５】
このように、受信装置１００が固定型の場合、移動により一方の人工衛星３ａ，３ｂから受信できなくなる状態がないことから、地上波および衛星波をそれぞれ１つずつ受信してアンサンブルＡ，Ｂを取得すればよい。このため、図１ないし図６に示す実施の形態に比して、より構成を簡略化できる。
【０１０６】
そして、上記図７および図８に示す第２の実施の形態では、２つの人工衛星からの電波を受信する構成であるため、それぞれからの電波に基づいてアンサンブルＡ，Ｂを取得させて、いずれかの人工衛星３ａ，３ｂから受信させるかを決定する。このことにより、より良好な受信状態が得られ、良好な情報の出力ができる。
【０１０７】
なお、固定型の場合、１つの衛星波を取得できればよいため、２つの人工衛星を利用せず、１つの人工衛星のみを利用する構成としてもよい。この場合には、いずれかの人工衛星３ａ，３ｂから受信させるかを決定する必要がなく、処理効率の向上および構成のさらなる簡略化を図ることができる。
【０１０８】
〔第３の実施の形態〕
次に、本発明の通信システムのさらに他の実施の形態について、図面を参照して説明する。なお、この第３の実施の形態は、上述した図１ないし図６に示す第１の実施の形態において、ＲＦチューナ部１３で取得するアンサンブルＡ，Ｂを切り替える構成に代えて、チャンネルデコーダで切り替える構成としたものである。この第３の実施の形態において、第１の実施の形態と同一の構成については、同一の符号を付し、説明を省略する。図９は、第３の実施の形態における受信装置を示すブロック図である。
【０１０９】
図９において、２００は受信装置で、この受信装置２００は、例えば車両などの移動する移動体に搭載されて利用される。この受信装置２００は、第１の実施の形態と同様の図示しない入力手段、システムコントローラ１２およびソースデコーダ１５と、受信アンテナ２０１と、ＲＦチューナ部２０２と、チャンネルデコーダ２０３と、を備えている。
【０１１０】
受信アンテナ２０１は、地上局２からの地上波および人工衛星３ａ，３ｂからの衛星波の双方を受信可能に構成されている。
【０１１１】
ＲＦチューナ部２０２は、第１増幅回路２１１と、第１フィルタ２１２と、第１周波数変換回路２１３と、第２フィルタ２１４と、第２周波数変換回路２１５と、第２増幅回路２９ａ，２９ｂと、を備えている。
【０１１２】
第１増幅回路２１１は、受信アンテナ２０１に接続されている。そして、第１増幅回路２１１は、受信アンテナ２０１で受信した電波を増幅する。
【０１１３】
第１フィルタ２１２は、第１増幅回路２１１で増幅された信号について、地上局２および人工衛星３ａ，３ｂから出力される周波数帯以外の信号を減衰させる処理をする。この減衰する周波数帯は、２つのアンサンブルＡ，Ｂの周波数帯ＴｅｒＡ，ＴｅｒＢ、および、２つの人工衛星３ａ，３ｂからそれぞれ出力される２つのアンサンブルＡ，Ｂの周波数帯Ｓａｔ１（２）Ａ，Ｓａｔ１（２）Ｂの範囲である。
【０１１４】
第１周波数変換回路２１３は、第１フィルタ２１２で減衰処理により取得した信号を所定の中間周波信号に変換する。この第１周波数変換回路２１３は、第１混合回路２１３ａと、第１局部発振回路２１３ｂとを備えている。第１混合回路２１３ａは、高周波信号を効率よく中間周波信号に変換して雑音を少なくする。第１局部発振回路２１３ｂは、例えば安定で回路が簡易なコルピッツ発振回路を原形とした安定度が高いクランプ回路である。そして、第１局部発振回路２１３ｂは、図示しない基準周波数に基づいて発振周波数が一定となるように制御される。
【０１１５】
第２フィルタ２１４は、第１周波数変換回路２１３の処理により生成した中間周波信号から不要な信号を減衰させる処理をする。
【０１１６】
第２周波数変換回路２１５は、２組の混合回路２１５ａ，２１５ｂと、第２局部発振回路２１５ｃと、位相角変換手段２１５ｄと、を備えている。混合回路２１５ａ，２１５ｂは、それぞれ効率よく所定の中間周波信号に変換して雑音を少なくする。第２局部発振回路２１５ｃは、図示しない基準周波数に基づいて発振周波数が一定となるように制御される。位相角変換手段２１５ｄは、混合回路２１５ａ，２１５ｂに入力される局部発振周波数の位相角が９０度ずれる状態で位相角を制御する。
【０１１７】
第２増幅回路２９ａ，２９ｂは、第１の実施の形態と同様に、図示しないボリュームをそれぞれ有し、第２地上波周波数変換回路２８で変換した信号を所定の中間周波信号にそれぞれ増幅し、チャンネルデコーダ２０３にそれぞれ出力する。
【０１１８】
チャンネルデコーダ２０３は、Ａ／Ｄコンバータ４１，４２と、切替手段２２０と、地上波復調手段４３と、衛星主波復調手段４４ａ，４４ｂと、衛星副波復調手段４５と、チャンネルデコード部４６と、を備えている。
【０１１９】
そして、切替手段２２０は、利用者の入力操作により設定されたアンサンブルＡ，Ｂを取得するために、地上波復調手段４３、衛星主波復調手段４４ａ，４４ｂおよび衛星副波復調手段４５で復調する集合情報であるアンサンブルＡ，Ｂを切り替える。この切替手段２２０は、地上波切替部２２０ａと、第１衛星波切替部２２０ｂと、第２衛星波切替部２２０ｃとを有している。地上波切替部２２０ａ、第１衛星波切替部２２０ｂおよび第２衛星波切替部２２０ｃは、それぞれＡ／Ｄコンバータ４１，４２に接続されている。
【０１２０】
また、地上波切替部２２０ａには、地上波復調手段４３が接続されている。そして、地上波切替部２２０ａは、Ａ／Ｄコンバータ４１，４２から出力されるデジタル信号のうち、地上波の各アンサンブルＡ，Ｂに対応するデジタル信号のいずれか一方を選択的に地上波復調手段４３に出力する。この地上波切替部２２０ａは、利用者の入力操作にて入力手段からの信号に基づいてアンサンブルＡ，Ｂを設定した設定手段としても機能するシステムコントローラ１２により制御される。この制御により、地上波切替部２２０ａは、デジタル信号のうち、地上波のアンサンブルＡ，Ｂのいずれかに対応するデジタル信号を適宜切り替え、地上波復調手段４３に選択的に出力する。
【０１２１】
第１衛星波切替部２２０ｂには、衛星主波復調手段４４ａ，４４ｂがそれぞれ接続されている。そして、第１衛星波切替部２２０ｂは、Ａ／Ｄコンバータ４１，４２から出力されるデジタル信号のうち、衛星波の各アンサンブルＡ，Ｂに対応するデジタル信号のいずれか一方を衛星主波復調手段４４ａ，４４ｂに出力する。この第１衛星波切替部２２０ｂは、地上波切替部２２０ａと同様にシステムコントローラ１２にて地上波切替部２２０ａの切替と同調して制御される。この制御は、地上波切替部２２０ａで出力するアンサンブルＡ，Ｂと同一のアンサンブルＡ，Ｂに対応するデジタル信号を出力する。
【０１２２】
第２衛星波切替部２２０ｃには、衛星副波復調手段４５が接続されている。そして、第２衛星波切替部２２０ｃは、Ａ／Ｄコンバータ４１，４２から出力されるデジタル信号のうち、衛星波の各アンサンブルＡ，Ｂに対応するデジタル信号のいずれか他方をそれぞれ衛星副波復調手段４５に出力する。この第２衛星波切替部２２０ｃは、システムコントローラ１２にて地上波切替部２２０ａおよび第１衛星波切替部２２０ｂの切替と同調して制御される。この制御は、地上波切替部２２０ａおよび第２衛星波切替部２２０ｂで出力するアンサンブルＡ，Ｂと異なる他のアンサンブルＢ，Ａに対応するデジタル信号を出力する。
【０１２３】
そして、第１の実施の形態と同様に、利用者が電源を投入して１チャンネルを受信し番組表情報を取得する。この後、利用者が所望する所定の番組を設定することにより、地上局２および人工衛星３ａ，３ｂから受信した電波をＲＦチューナ部２０２で直交復調する。そして、システムコントローラ１２は、設定された番組に基づいてアンサンブルＡ，Ｂを判別し、適宜切替手段２２０を制御して適宜切り替える。すなわち、ＲＦチューナ部２０２から出力されアンサンブルＡ，Ｂに関する混在した信号のうち、判別した一方のアンサンブルＡ，Ｂに関する信号のみを地上波復調手段４３および衛星主波復調手段４４ａ，４４ｂに出力させて復調させるとともに、判別した一方のアンサンブルＡ，Ｂと異なる他のアンサンブルＢ，Ａに関する信号のみを衛星副波復調手段４５に出力させて復調させ、デインターリーブ処理する。このため、簡単な構成で、異なるアンサンブルＡ，Ｂの双方を取得して出力までの時間短縮を図る構成が容易に得られる。
【０１２４】
〔第４の実施の形態〕
次に、本発明の通信システムの他の実施の形態について、図面を参照して説明する。なお、この第４の実施の形態は、上述した図９に示す第３の実施の形態において、車両に搭載する構成の代わりに、一般家庭内などで設置して利用する固定型の受信装置の他の例示である。すなわち、第２の実施の形態において、ＲＦチューナ部１３で取得するアンサンブルＡ，Ｂを切り替える構成に代えて、チャンネルデコーダで切り替える構成としたものである。この第４の実施の形態において、第２の実施の形態および第３の実施の形態と同一の構成については、同一の符号を付し、説明を省略する。図１０は、第４の実施の形態における受信装置を示すブロック図である。
【０１２５】
図１０において、３００は受信装置で、この受信装置３００は、例えば一般家庭内や店舗内、事業所内などに設置されて利用される。この受信装置３００は、第３の実施の形態と同様の受信アンテナ２０１、図示しない入力手段、システムコントローラ１２、ＲＦチューナ部２０２およびソースデコーダ１５と、チャンネルデコーダ３０１と、を備えている。
【０１２６】
そして、チャンネルデコーダ３０１は、Ａ／Ｄ（アナログ／デジタル）コンバータ４１，４２と、切替手段３０２と、地上波取得手段としての地上波復調手段４３と、第２の実施の形態と同様の衛星主波復調手段１０２および衛星副波復調手段１０３と、チャンネルデコード部４６と、を備えている。すなわち、チャンネルデコーダ３０１は、第３の実施の形態のチャンネルデコーダ２０３において、衛星主波復調手段４４ａ，４４ｂおよび衛星副波復調手段４５にて３波を復調する構成に代えて、衛星主波復調手段１０２および衛星副波復調手段１０３にて２波を復調する構成である。
【０１２７】
切替手段３０２は、利用者の入力操作により設定されたアンサンブルＡ，Ｂを取得するために、地上波復調手段４３、衛星主波復調手段１０２および衛星副波復調手段１０３で復調するアンサンブルＡ，Ｂを切り替える。この切替手段３０２は、地上波切替部３０２ａと、第１衛星波切替部３０２ｂと、第２衛星波切替部３０２ｃとを有している。地上波切替部３０２ａ、第１衛星波切替部３０２ｂおよび第２衛星波切替部３０２ｃは、それぞれＡ／Ｄコンバータ４１，４２に接続されている。
【０１２８】
また、地上波切替部３０２ａには、地上波復調手段４３が接続されている。そして、地上波切替部３０２ａは、第３実施の形態の地上波切替部２２０ａと同様に、Ａ／Ｄコンバータ４１，４２から出力されるデジタル信号のうち、地上波の各アンサンブルＡ，Ｂに対応するデジタル信号のいずれか一方を選択的に地上波復調手段４３に出力する。この地上波切替部２２０ａは、利用者の入力操作にて入力手段からの信号に基づいてアンサンブルＡ，Ｂを設定した設定手段としても機能するシステムコントローラ１２により制御される。この制御により、地上波切替部２２０ａは、デジタル信号のうち、地上波のアンサンブルＡ，Ｂのいずれかに対応するデジタル信号を適宜切り替え、地上波復調手段４３に選択的に出力する。
【０１２９】
第１衛星波切替部３０２ｂには、衛星主波復調手段１０２が接続されている。そして、第１衛星波切替部３０２ｂは、Ａ／Ｄコンバータ４１，４２から出力されるデジタル信号のうち、衛星波のアンサンブルＡに対応するデジタル信号を衛星主波復調手段１０２に出力する。すなわち、システムコントローラ１２の制御により切替動作することなく、アンサンブルＡに対応するデジタル信号のみを選択して出力する。
【０１３０】
第２衛星波切替部３０２ｃには、衛星副波復調手段４５が接続されている。そして、第２衛星波切替部３０２ｃは、Ａ／Ｄコンバータ４１，４２から出力されるデジタル信号のうち、衛星波のアンサンブルＢに対応するデジタル信号を衛星副波復調手段１０３に出力する。すなわち、システムコントローラ１２の制御により切替動作することなく、アンサンブルＢに対応するデジタル信号のみを選択して出力する。
【０１３１】
そして、第２の実施の形態と同様に、利用者が電源を投入して１チャンネルを受信し番組表情報を取得する。この後、利用者が所望する所定の番組を設定することにより、地上局２および人工衛星３ａ，３ｂから受信した電波をＲＦチューナ部２０２で直交復調する。そして、システムコントローラ１２は、設定された番組に基づいてアンサンブルＡ，Ｂを判別し、適宜切替手段３０２を制御して適宜切り替える。すなわち、ＲＦチューナ部２０２から出力されアンサンブルＡ，Ｂに関する混在した信号のうち、判別した一方のアンサンブルＡ，Ｂに関する信号のみを地上波復調手段４３に出力して復調処理させる。また、アンサンブルＡに関する信号のみを衛星主波復調手段１０２に出力して復調させるとともに、アンサンブルＢに関する信号のみを衛星副波復調手段１０３に出力して復調させ、デインターリーブ処理する。このため、簡単な構成で、異なるアンサンブルＡ，Ｂの双方を取得して出力までの時間短縮を図る構成が容易に得られる。
【０１３２】
〔実施形態の変形〕
なお、本発明は、上述した各実施の形態に限定されるものではなく、本発明の目的を達成できる範囲で以下に示される変形をも含むものである。
【０１３３】
すなわち、地上局２および２つの人工衛星３ａ，３ｂを利用し、２つのアンサンブルＡ，Ｂに区分けされた番組を取得する構成について説明したが、この構成に限らず、例えば複数の人工衛星を利用したり、複数の番組を２つ以上の複数のアンサンブルに区分けする構成などでもできる。また、番組に限らず、画像データなど、いずれの情報をも利用できる。すなわち、本発明では、少なくとも地上波および衛星波を１つずつ以上受信して地域による受信不具合を解消する構成で、複数の情報が含まれるアンサンブルが複数設定され、適宜アンサンブルを切り替えるいずれの構成でもできる。
【０１３４】
そして、アンサンブルＡ，Ｂを切り替える構成としては、ＲＦチューナ部１３で切り替える構成や、チャンネルデコーダ２０３，３０１で切り替える構成に限らず、いずれの方法でもできる。
【０１３５】
また、ＲＦチューナ部１３，２０２およびチャンネルデコーダ１４，２０３，３０１の構成に限らず、同様に動作するいずれの構造でも実施できる。
【０１３６】
その他、本発明の実施の際の具体的な構造および異常の発生を認識するための手順などは、本発明の目的を達成できる範囲で他の構造や手順などとしてもよい。
【０１３７】
【発明の効果】
本発明によれば、地上局からの電波のうちの複数の集合情報に対応する複数の異なる周波数帯のいずれか１つを復調し、いずれか１つの集合情報を取得するとともに、複数の信号衛星から出力される電波のうちの少なくともいずれか１つの人工衛星から出力される電波であって、地上局からの電波に基づいて取得する集合情報と同一の集合情報および他の集合情報に対応する所定の周波数帯を復調してそれぞれ取得するため、復調する周波数帯を他の集合情報の周波数帯に変更したとしても、複数の人工衛星から出力される電波のタイムインターリーブによる情報の取得のタイムラグを短縮でき、使い勝手を向上できる。
【図面の簡単な説明】
【図１】本発明の第１の実施の形態に係る通信システムの概略構成を示すブロック図である。
【図２】前記第１の実施の形態における通信システムで送受信する電波の状態を示す概念図である。
【図３】前記第１の実施の形態における受信装置の概略構成を示すブロック図である。
【図４】前記第１の実施の形態における受信装置で受信する電波の処理動作を示す説明図である。
【図５】前記第１の実施の形態における受信装置で番組情報を取得する動作を示すフローチャートである。
【図６】前記第１の実施の形態における受信装置で他の番組情報に切り替える動作を示すフローチャートである。
【図７】本発明の第２の実施の形態における受信装置の概略構成を示すブロック図である。
【図８】前記第２の実施の形態における受信装置で番組情報を取得する動作を示すフローチャートである。
【図９】本発明の第３の実施の形態における受信装置の概略構成を示すブロック図である。
【図１０】本発明の第４の実施の形態における受信装置の概略構成を示すブロック図である。
【符号の説明】
１　　通信システム
２　　地上局
３ａ，３ｂ　　人工衛星
１０，１００，２００，３００　　受信装置
１２　　設定手段としても機能するシステムコントローラ
１３　　チューナ部としてのＲＦチューナ部
２６　　切替手段としての第１地上波周波数変換回路
２７　　地上波フィルタとしての第２地上波フィルタ
３３　　切替手段としての第１衛星波周波数変換回路
３４　　衛星主波フィルタとしての第２衛星波フィルタ
３５　　衛星副波フィルタとしての第３衛星波フィルタ
４３　　地上波取得手段としての第１復調手段である地上波復調手段
４４ａ，４４ｂ，１０２　　衛星主波取得手段としての第２復調手段である衛星主波復調手段
４５，１０３　　衛星副波取得手段としての第３復調手段である衛星副波復調手段
２２０，３０２　　切替手段
【図１】
2004023137.tif 000003
【図２】
2004023137.tif 000004
【図３】
2004023137.tif 000005
【図４】
2004023137.tif 000006
【図５】
2004023137.tif 000007
【図６】
2004023137.tif 000008
【図７】
2004023137.tif 000009
【図８】
2004023137.tif 000010
【図９】
2004023137.tif 000011
【図１０】
2004023137.tif 000012